【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】
【請求項１】  抄紙機または板紙抄紙機のプレス部においてファブリックによって支持されながら第１のロールまたはその等価物から第２のロールまたはその等価物へ向かうウェブの動きを該ウェブの直線状移送部において安定させる方法において、該ファブリックに対して真空効果を及ぼし、該効果の大きさをロール間の区域において変化させ、支持距離の開始部分であって第１のロールおよびファブリックの間のギャップ開口部の区域と、支持距離の終端部であって第２のロールの手前の区域とでは、負圧（−ｐａ）を、それらの区域の間に存する中央区域に影響を及ぼす負圧より、実質的に大きくすることを特徴とする方法。
【請求項２】  請求項１に記載の方法において、前記ファブリックに対して真空効果を及ぼし、該効果の大きさを該ファブリックおよびウェブ（Ｗ）の横方向に変化させ、該ウェブ（Ｗ）の両エッジ部の区域に影響を及ぼす負圧（−ｐｂ）は、該ファブリックの横方向の中央区域に影響を及ぼす負圧（−ｐｃ）より実質的に大きくすることを特徴とする方法。
【請求項３】  抄紙機または板紙抄紙機のプレス部においてファブリックによって支持されながら第１のロールまたはその等価物から第２のロールまたはその等価物へ向かうウェブ（Ｗ）の動きを該ウェブの直線状移送部において安定させるのに特に適していて、第１および第２のロール間のファブリックの側に配置され、前記ウェブ（Ｗ）の実質的に幅全体にわたり、該ファブリックの走程と平行な方向に延びていて、該ファブリックとウェブ支持装置との間には空間が作られていて、該ファブリックとウェブ支持装置との間の空間に負圧を発生させる部材を含むウェブ支持装置において、該ウェブ支持装置は、前記空間のうち該ウェブ支持装置の前エッジ区域に大きな局所的負圧（−ｐａ）を発生させる手段と、前記空間のうち該ウェブ支持装置の後エッジ区域に大きな局所的負圧（−ｐａ）を発生させる手段と、該大きな局所的負圧より実質的に小さい負圧（−ｐｃ）を前記空間のうち該ウェブ支持装置の中央区域に発生させる手段とを含むことを特徴とするウェブ支持装置。
【請求項４】  請求項３に記載のウェブ支持装置において、該装置は更に、該ウェブ支持装置と前記ファブリックとの間の空間の端部の区域に大きな局所的負圧を発生させる手段を含むことを特徴とするウェブ支持装置。
【請求項５】  請求項３に記載のウェブ支持装置において、該装置の前エッジの区域には第１の吹出しノズルスロットが設けられ、該装置の後エッジ区域には第２の吹出しノズルスロットが設けられ、第１および第２の吹出しノズルスロットは、該ウェブ支持装置と前記ファブリックとの間の空間から空気を高速で吹き飛ばすように配設され、該ウェブ支持装置の、前記ファブリックに対面する面には、第１の吹出しノズルスロットの後に、第３の吹出しノズルスロットが設けられ、該ウェブ支持装置の、前記ファブリックに対面する面には、第２の吹出しノズルスロットの手前に、第４の吹出しノズルスロットが設けられ、第３および第４の吹出しノズルスロットは、該ウェブ支持装置と前記ファブリックとの間の空間に空気を吹出すように配設され、該ウェブ支持装置の中央区域には、負圧源またはその等価物へ連結された吸引スロットが設けられ、該吸引スロットは、該ウェブ支持装置と前記ファブリックとの間の空間から空気を除去するように配設されていることを特徴とするウェブ支持装置。
【請求項６】  請求項５に記載のウェブ支持装置において、該装置の前エッジ部の区域には、第１および第３の吹出しノズルスロットの間に第２の吸引スロットが設けられ、該装置の後エッジ部の区域には、第２および第４の吹出しノズルスロットの間に第３の吸引スロットが設けられ、第２および第３の吸引スロットは、該ウェブ支持装置の前エッジ部および後エッジ部付近で、前記空間から空気を除去するように配設されていることを特徴とするウェブ支持装置。
【請求項７】  請求項５または６に記載のウェブ支持装置において、第１の吹出しノズルスロットは該ウェブ支持装置の前壁に配置され、これによって、開ギャップを構成している第１のロールの表面に対して空気の吹出しが当てられることを特徴とするウェブ支持装置。
【請求項８】  請求項５ないし７のいずれかに記載のウェブ支持装置において、第２のノズルスロットは該ウェブ支持装置の後壁に配置され、これによって、閉ギャップを構成している第２のロールの表面に対して空気の吹出しが当てられることを特徴とするウェブ支持装置。
【請求項９】  請求項４に記載のウェブ支持装置において、該装置の両端部の区域には２つの平行する吹出しノズルスロットが配設され、該スロットのうち第１の吹出しノズルスロットは、該ウェブ支持装置と前記ファブリックとの間の空間から高速で空気を吹き飛ばすように配設され、該スロットのうち第２の吹出しノズルスロットは、該ウェブ支持装置と前記ファブリックとの間の空間へ空気を吹出すように配設され、第２の吹出しノズルスロットから吹出される空気流の速度は、第１の吹出しノズルスロットから吹出される空気流の速度より低いことを特徴とするウェブ支持装置。
【請求項１０】  請求項９に記載のウェブ支持装置において、該装置の両端部には、第１および第２の吹出しノズルスロットの間に吸引スロットが配設され、該吸引スロットは、該ウェブ支持装置の両端部の付近の空間から空気を除去するように設けられていることを特徴とするウェブ支持装置。
【請求項１１】  請求項３に記載のウェブ支持装置において、該装置の前エッジ区域には第１の吹出しノズルスロットが設けられ、該装置の後エッジ区域には第２の吹出しノズルスロットが設けられ、第１および第２の吹出しノズルスロットは、該ウェブ支持装置と前記ファブリックとの間の空間から空気を高速で吹き飛ばすように配設され、該ウェブ支持装置の表面上には、前記ファブリックに向かって、密封部材が配設され、該部材は前記ウェブ（Ｗ）の走行方向に対して横断するように配設され、該部材によって、該ウェブ支持装置の中央区域の前エッジ部および後エッジ部における気流による排出効果は抑制され、該ウェブ支持装置の中央区域には空気スロットまたはその等価物が設けられ、該スロットは負圧源または正圧源のいずれかに任意に連結され、これによって、該ウェブ支持装置の中央区域における負圧は望ましく調節可能であることを特徴とするウェブ支持装置。
【請求項１２】  請求項３に記載のウェブ支持装置において、該装置の前エッジ区域には第１の吸引スロットが設けられ、該装置の後エッジ区域には第２の吸引スロットが設けられ、第１および第２の吸引スロットを介して、該ウェブ支持装置と前記ファブリックとの間の空間から空気が排出され、該ウェブ支持装置の中央区域には空気スロットまたはその等価物が設けられ、該スロットは負圧源または正圧源のいずれかに任意に連結され、これによって、該ウェブ支持装置における負圧は望ましい大きさに調節可能であることを特徴とするウェブ支持装置。
【請求項１３】  抄紙機または板紙抄紙機のプレス部においてファブリックによって片側のみを支持されながら真空トランスファーロールまたはその等価物からプレスニップ（Ｎ２）へ向かうウェブの動きを該ウェブの直線状移送部において安定させ、前記真空トランスファーロールとプレスニップ（Ｎ２）との間に存する支持区域に配置された場合に少なくとも１つのウェブ支持装置を含み、該装置は前記ファブリックと該ウェブ支持装置との間の空間に負圧を生成する手段を有する方式において、支持距離の中央区域には前記ウェブ（Ｗ）およびファブリックに共通の走程を案内する支持ロールが配設され、前記空間のうち該ウェブ支持装置の前エッジ区域において大きな局所的負圧を発生する手段と、前記空間のうち該ウェブ支持装置の後エッジ区域において大きな局所的負圧を発生する手段と、前記空間のうち該ウェブ支持装置の中央区域において前記局所的負圧より実質的に小さい負圧を発生する手段とを含むことを特徴とする方式。
【請求項１４】  抄紙機または板紙抄紙機のプレス部においてファブリックによって片側のみを支持されながら真空トランスファーロールまたはその等価物からプレスニップ（Ｎ２）へ向かうウェブの動きを該ウェブの直線状移送部において安定させ、前記真空トランスファーロールとプレスニップ（Ｎ２）との間に存する支持区域に配置された場合に少なくとも１つのウェブ支持装置を含み、該装置は前記ファブリックと該ウェブ支持装置との間の空間に負圧を生成する手段を有する方式において、支持距離には少なくとも２つ、最も有利には３つのウェブ支持装置が連続して配置され、それらの装置のうち第１の装置の前エッジ部には、該装置の前エッジ区域に大きな負圧を発生させる手段が配設され、最後の装置の後エッジ部には、該装置の後エッジ区域に大きな負圧を発生させる手段が配設され、第１および最後のウェブ支持装置、ならびに場合に応じてそれらの間の装置は、第１の装置の前エッジ部と最後の装置の後エッジ部との間に存する支持区域の一部に、前記大きな負圧より実質的に小さい負圧を発生させる手段を含むことを特徴とする方式。
【手続補正２】
【補正対象書類名】明細書
【補正対象項目名】００２２
【補正方法】変更
【補正の内容】
【００２２】
図２および図３は図1Aの位置Ｂに配されている、従来技術における２つのブローボックス57を示す。これらによれば、ウェブＷはフェルト真空ロール23の吸引セクタ23aの後で下部フェルト20に支持されながら第２の上部フェルト30の下側に接触して送られるが、これは真空トランスファーロール31の吸引セクタ31aに広がる負圧の効果によって付着されるものである。フェルト真空ロール23と真空トランスファーロール31との間の直線状移送部では、ウェブＷとフェルト20との接触を保つために、ブローボックス57が下部フェルトループ20の内側に配設されていて、そこでは正圧ｐ１が広がっている。ブローボックス57の前エッジおよび後エッジには吹出しノズルスロット58aおよび58bが設けられていて、これらは、ブローボックス57およびファブリック20の間の空間から空気を高速で吹き飛ばすように方向付けられている。図２では、ブローボックスの前エッジの吹出しノズルスロット58aは、ロール23およびファブリック20の間のギャップ開口部の方向に向けられているが、これに対して図３の同様のノズルスロット58aは、ロール23の表面に対して向けられている。強力な空気の吹出しによって、ブローボックス57およびファブリック20の間の空間、ブローボックスの前エッジ区域内、更にはロール23とファブリック20との間のギャップ開口部に排出流が生じ、これらの空間から空気を吸出し、ウェブＷの支持に必要な負圧が生成される。空気を同一の吹出し圧力ｐ１で吹出すこれらのノズルスロット58a、58bは、通常はボックス57全体を囲ってその両側の区域へも延び、ブローボックス57全体の区域にほぼ一定の規模の負圧を生じる。その負圧の影響により、ファブリック20は、ブローボックス57の中央部において長手方向および横断方向の両方向に曲がったり伸びたりする。ファブリック20の曲がりＥは、支点間の直線距離（破線Ｊ）とファブリック20の実際の走路との間の距離を意味していて、せいぜい約30ないし60mmであり、支持距離の長さと、ファブリック20の緊張度と、ブローボックス57により生じる負圧レベルとによって定まる。
【手続補正３】
【補正対象書類名】図面
【補正対象項目名】図６Ｃ
【補正方法】変更
【補正の内容】
【図６Ｃ】
2003515685.tif 000001